(57)【要約】【課題】基礎の構築とその上への土台の固定が同時に行え、基礎コンクリートの上面に水平精度を考慮することなく基礎と土台を一体化することができる建築物の基礎構築工法を提供する。【解決手段】基礎構築部分の地面上に複数の支持部材３を介して土台１を支持することにより、この土台１を地面から浮かせた状態で配置し、前記土台１と地面間の空間に基礎用鉄筋１４を配筋すると共に、土台１の下部にアンカーボルト１５を取付け、この状態で土台１の下部両側の地面上に基礎用型枠１７を配置し、両型枠間１７にコンクリートを土台１の下面に達するレベルまで打設することで基礎１８を構築する。【選択図】図１
2006322154.tif 000002
【特許請求の範囲】
【請求項１】
基礎構築部分の地面上に、上下長さの調整が可能な複数の支持部材を介して土台を支持することにより、この土台を地面から浮かせた状態で配置し、前記土台と地面間の空間に基礎用鉄筋を土台の長さ方向に沿って配筋すると共に、土台の下部にアンカーボルトを取付け、この状態で土台の下部両側の地面上に型枠を配置し、両型枠間にコンクリートを土台の下面に達するレベルまで打設し、土台と一体化した基礎を構築する建築物の基礎構築工法。
【発明の詳細な説明】
【技術分野】
【０００１】
この発明は、建築物のコンクリート基礎を、その上に配置される建物土台と一体化した状態で構築することができる建築物の基礎構築工法に関する。
【背景技術】
【０００２】
従来、一般的な建築物のコンクリート基礎構築方法は、地固めした地面上に両側で対向する基礎用型枠を配置し、この基礎用型枠の内部に基礎用鉄筋を配筋すると共にこれにアンカーボルトを建て込み、次に、基礎用型枠間にコンクリートを打設し、コンクリートの凝固後に型枠を解体することにより、内部に基礎用鉄筋が埋設され、上面からアンカーボルトが所定長さ突出するコンクリート基礎を構築するものである。
【０００３】
このようにして構築されたコンクリート基礎の上に土台を載置し、土台を貫通したアンカーボルトの上端にナットを螺合し、このナットを締め付けることにより、土台をコンクリート基礎に固定化するものである（特許文献１参照）。
【特許文献１】特開平１０−１９５８８５号公報
【発明の開示】
【発明が解決しようとする課題】
【０００４】
ところで、上記のような従来の基礎構築方法は、基礎の構築とその上への土台の固定が別工程になり、基礎コンクリートの凝固まで土台を取付けることができないため、工期が長くかかることになる。
【０００５】
また、土台の水平配置のためには、基礎コンクリートの上面の水平精度が要求されるが、型枠間に打設したコンクリートの上面を水平に精度よく仕上げるには、熟練した技術と手間を要することになり、このような作業をこなすことのできる熟練した技術の作業員を確保するのが困難である。
【０００６】
そこで、この発明の課題は、基礎の構築とその上への土台の固定が同時に行え、建物を構築するための工期の短縮が図れるだけでなく、基礎コンクリートの上面に水平精度を考慮することなく基礎と土台を一体化することができる建築物の基礎構築工法を提供することにある。
【課題を解決するための手段】
【０００７】
上記のような課題を解決するため、この発明は、基礎構築部分の地面上に、上下長さの調整が可能な複数の支持部材を介して土台を支持することにより、この土台を地面から浮かせた状態で配置し、前記土台と地面間の空間に基礎用鉄筋を土台の長さ方向に沿って配筋すると共に、土台の下部にアンカーボルトを取付け、この状態で土台の下部両側の地面上に型枠を配置し、両型枠間にコンクリートを土台の下面に達するレベルまで打設し、土台と一体化した基礎を構築する構成を採用したものである。
【０００８】
ここで、土台は鋼製のＨ型材を用い、建築物の平面形状に対応した枠状に組まれ、その下面の複数箇所を上下長さの調整が可能な複数の支持部材で支持することにより、水平に精度よく配置するようにしておく。
【０００９】
上記支持部材は、上端に土台との結合座板を設けた筒軸の下端内部にナットを固定し、このナットに螺合した螺軸の下端に回動操作部を兼ねる接地金具を設けて形成され、基礎構築部分の地面上に配置したベース板の孔に接地金具の下端を嵌め、接地金具と共に螺軸を回転させ、筒軸と螺軸の上下長さを調整することにより、この支持部材で支持した土台の上面の水平出しを行うようにする。
【００１０】
対向配置した型枠間に打設するコンクリートは、その上面が土台の下面に達するように打設すればよく、土台の下面が定規になるので、コンクリート上面の水平精度に気を使う必要はなく、また、土台の下部に予めアンカーボルトを取付けておくことにより、コンクリートが凝固した時点で基礎に対する土台の固定化が得られることになる。
【発明の効果】
【００１１】
この発明によると、土台を上下長さの調整が可能な複数の支持部材を介して支持することで地面から浮かせた状態で配置し、この土台と地面間の空間に基礎用鉄筋を土台の長さ方向に沿って配筋すると共に、土台の下部にアンカーボルトを取付け、この状態で土台の下部両側の地面上に型枠を配置し、両型枠間にコンクリートを土台の下面に達するレベルまで打設するようにしたので、コンクリート基礎の構築とその上への土台の固定が同時に行え、土台の下部に予めアンカーボルトを取付けておくことにより、コンクリートが凝固した時点で基礎に対する土台の固定化が得られ、建物を構築するための工期の短縮が図れる。
【００１２】
また、土台を水平に精度よく配置することにより、土台の下面が打設コンクリートの定規になり、コンクリート上面の水平精度に気を使う必要はなく、専門職を確保しなくてもコンクリートの打設が可能になり、水平精度の高い土台を有する基礎を構築することができる。
【発明を実施するための最良の形態】
【００１３】
以下、この発明の実施の形態を添付図面に基づいて説明する。
【００１４】
図示のように、土台１は鋼製のＨ型材１ａを用い、建築物の平面形状とその大きさに対応した枠状に組まれ、必要なコーナ部分には直角の位置関係にあるＨ型材１ａをアングル材２等を使用して結合することによる補強が施されている。
【００１５】
図４のように、基礎構築部分の地面上に配置され、上記土台１の複数箇所を支持する支持部材３は、上下に長い筒軸４の上端に、複数のボルト孔５を備えた土台１との結合座板６を固定し、前記筒軸４の下端内部にナット７を固定し、このナット７に螺合した螺軸８の下端に回動操作部を兼ねる接地金具９を設けて形成され、基礎構築部分の地面上に配置した円形ベース板１０の中央孔１１に接地金具９の下端円錐部９ａを嵌めることにより、土台１を水平に支持するようになっている。
【００１６】
この支持部材３は、上端の結合座板６を土台１の下面にボルト、ナット１２を用いて固定し、下端の接地金具９を基礎構築部分の地面上に配置したベース板１０の中央孔１１に嵌めて起立させた土台１の支持状態で、接地金具９を介して螺軸８を回転させて筒軸４と螺軸８の上下長さを調整することにより、この支持部材３で支持した土台１の上面のレベルと水平出しを行うことができることになる。
【００１７】
次に、この発明の基礎構築工法を用いた基礎構築方法を説明する。
【００１８】
先ず、基礎構築部分の地面を、敷き固めたバラス上に捨てコンクリート１３を打設して仕上げ、次に、前記捨てコンクリート１３の上部に土台１を位置させ、図２のように、この土台１の下部複数箇所に固定した支持部材３の下端接地金具９を、捨てコンクリート１３上に配置した円形ベース板１０の中央孔１１に嵌めることにより、捨てコンクリート１３の上部に土台１を宙に浮かせた状態で配置する。
【００１９】
上記土台１を枠状に組み立てた後、各支持部材３の上下長さを螺軸８の回転操作によって調整し、土台１の上面のレベルと水平出しを行う。
【００２０】
次に、上記土台１と捨てコンクリート１３間の空間に基礎用鉄筋１４を土台１の長さ方向に沿って配筋すると共に、土台１の下部で必要な箇所にアンカーボルト１５を吊り下げ状に取付ける。
【００２１】
図３のように、上記基礎用鉄筋１４は、図示省略したが、捨てコンクリート１３上に配置したコンクリート製のブロック状支持部材等で下部を支持すると共に、アンカーボルト１５は、土台１のフランジ部分を貫通させ、このアンカーボルト１５に螺合したナット１６を螺締することによって取付け、このように基礎用鉄筋１４を配筋してアンカーボルト１５を取付けた状態で、土台１の下部両側で捨てコンクリート１３上に基礎用型枠１７を対向状に配置し、この後両型枠１７間にコンクリートを土台１の下面に達するレベルまで打設する。
【００２２】
上記コンクリートの凝固後に基礎用型枠１７を解体すれば、内部に基礎用鉄筋１４が埋設され、アンカーボルト１５で土台１と一体化した立ち上がり状の基礎１８が完成することになる。
【００２３】
上記のように、対向配置した型枠１７間に打設するコンクリートは、その上面が土台１の下面に達するように打設すればよく、土台１の下面が定規になるので、コンクリート打設時における上面のレベル出しや水平精度に気を使う必要はなく、また、土台１の下部に予めアンカーボルト１５を取付けておくことにより、コンクリートが凝固した時点で基礎１８に対する土台１の固定化が得られ、建物を構築するための基礎構築工期の短縮が図れることになる。
【図面の簡単な説明】
【００２４】
【図１】（ａ）は土台の平面図、（ｂ）は基礎構築状態の縦断面図
【図２】捨てコンクリート上に支持部材を介して土台を配置すると共に、両側に基礎用型枠を配置した状態の縦断正面図
【図３】捨てコンクリート上に配置した土台に対する基礎用鉄筋とアンカーボルト及び基礎用型枠の関係を示す縦断正面図
【図４】（ａ）は支持部材の斜視図、（ｂ）はこの支持部材のナットと螺軸の螺合部分を示す縦断面図
【符号の説明】
【００２５】
１        土台
１ａ      Ｈ型材
２        アングル材
３        支持部材
４        筒軸
５        ボルト孔
６        結合座板
７        ナット
８        螺軸
９        接地金具
１０      円形ベース板
１１      中央孔
１２      ボルト、ナット
１３      捨てコンクリート
１４      基礎用鉄筋
１５      アンカーボルト
１６      ナット
１７      基礎用型枠
１８      基礎
【図１】
2006322154.tif 000003
【図２】
2006322154.tif 000004
【図３】
2006322154.tif 000005
【図４】
2006322154.tif 000006